【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
定着ローラおよび回転ローラを含む複数のローラに巻き架けられ、表面に記録媒体を担持するための無端状ベルトと、前記無端状ベルトとの間に記録媒体を狭持搬送するためのニップ部を形成するように、前記無端状ベルトを挟んで前記定着ローラに向けて押し付けられている加圧ローラと、前記定着ローラと前記回転ローラとの間に配置されている冷却手段とを備える定着装置において、
前記無端状ベルトの表面に付着した異物を検出するための異物検出手段と、
前記異物検出手段の出力に応じて、前記無端状ベルトの表面上の記録媒体を担持する記録媒体担持位置を変更する位置変更手段と
を有することを特徴とする定着装置。
【請求項２】
定着ローラおよび回転ローラを含む複数のローラに巻き架けられ、表面に記録媒体を担持するための無端状ベルトと、前記無端状ベルトとの間に記録媒体を狭持搬送するためのニップ部を形成するように、前記無端状ベルトを挟んで前記定着ローラに向けて押し付けられている加圧ローラと、前記定着ローラと前記回転ローラとの間に配置されている冷却手段とを備える定着装置において、
前記無端状ベルトの表面に付着した異物を検出するための異物検出手段と、
前記異物検出手段の出力に応じて、前記ニップ部に対する前記記録媒体の搬送タイミングを制御することにより、前記無端状ベルトの表面上の記録媒体を担持する記録媒体担持位置を変更する位置変更手段と
を有することを特徴とする定着装置。
【請求項３】
定着ローラおよび回転ローラを含む複数のローラに巻き架けられ、表面に記録媒体を担持するための無端状ベルトと、前記無端状ベルトとの間に記録媒体を狭持搬送するためのニップ部を形成するように、前記無端状ベルトを挟んで前記定着ローラに向けて押し付けられている加圧ローラと、前記定着ローラと前記回転ローラとの間に配置されている冷却手段とを備える定着装置において、
前記無端状ベルトの表面に付着した異物を検出するための異物検出手段と、
前記異物検出手段の出力に応じて、前記無端状ベルトの速度を可変することにより、前記無端状ベルトの表面上の記録媒体を担持する記録媒体担持位置を変更する位置変更手段と
を有することを特徴とする定着装置。
【請求項４】
前記異物検出手段は、前記冷却手段の位置より下流側でかつ前記定着ローラの上流側の位置に配置されていることを特徴とする請求項２または３記載の定着装置。
【請求項５】
前記位置変更手段は、前記異物検出手段の出力に基づいて前記無端状ベルトの表面上における現在の記録媒体担持位置に所定量以上の異物が付着しているか否かを判定し、前記現在の記録媒体担持位置に所定量以上の異物が付着していると判定された場合、前記現在の記録媒体担持位置を前記記録媒体が前記異物と重ならない記録媒体担持位置へ変更することを特徴とする請求項２または３記載の定着装置。
【請求項６】
前記無端状ベルトの表面上の異物が付着していない連続する領域の大きさが所定値以上であるか否かを判定する判定する判定手段と、
前記判定手段により前記無端状ベルトの表面上の異物が付着していない連続する領域の大きさが所定値以上でないと判定された場合、前記無端状ベルトの表面上の異物と重なるように記録媒体を強制的に前記無端状ベルトに担持させる異物除去手段と
を有することを特徴とする請求項２または３記載の定着装置。
【請求項７】
前記無端状ベルトの表面上の異物を除去するための異物クリーナと、
前記無端状ベルトの表面上の付着物が付着していない連続する領域の大きさが所定値以上であるか否かを判定する判定する判定手段と、
前記判定手段により前記無端状ベルトの表面上の異物が付着していない連続する領域の大きさが所定値以上でないと判定された場合、前記無端状ベルトの表面上の異物を除去するように前記異物クリーナを動作させる制御手段と
を有することを特徴とする請求項２または３記載の定着装置。
【請求項８】
前記記録媒体は、該記録媒体の少なくとも片面に熱可塑性樹脂層が形成されているものであることを特徴とする請求項２ないし７のいずれか１つに記載の定着装置。
【請求項９】
請求項１ないし８のいずれか１つに記載の定着装置を備えることを特徴とする画像形成装置。
【請求項１０】
定着ローラおよび回転ローラを含む複数のローラに巻き架けられ、表面に記録媒体を担持するための無端状ベルトと、前記無端状ベルトとの間に記録媒体を狭持搬送するためのニップ部を形成するように、前記無端状ベルトを挟んで前記定着ローラに向けて押し付けられている加圧ローラと、前記定着ローラと前記回転ローラとの間に配置されている冷却手段とを備える定着装置の制御方法において、
異物検出手段により、前記無端状ベルトの表面に付着した異物を検出する異物検出工程と、
前記異物検出工程での検出結果に応じて、前記無端状ベルトの表面上の記録媒体を担持する記録媒体担持位置を変更する位置変更工程と
を有することを特徴とする定着装置の制御方法。
【請求項１１】
定着ローラおよび回転ローラを含む複数のローラに巻き架けられ、表面に記録媒体を担持するための無端状ベルトと、前記無端状ベルトとの間に記録媒体を狭持搬送するためのニップ部を形成するように、前記無端状ベルトを挟んで前記定着ローラに向けて押し付けられている加圧ローラと、前記定着ローラと前記回転ローラとの間に配置されている冷却手段とを備える定着装置の制御方法において、
異物検出手段により、前記無端状ベルトの表面に付着した異物を検出する異物検出工程と、
前記異物検出工程での検出結果に応じて、前記ニップ部に対する前記記録媒体の搬送タイミングを制御することにより、前記無端状ベルトの表面上の記録媒体を担持する記録媒体担持位置を変更する位置変更工程と
を有することを特徴とする定着装置の制御方法。
【請求項１２】
定着ローラおよび回転ローラを含む複数のローラに巻き架けられ、表面に記録媒体を担持するための無端状ベルトと、前記無端状ベルトとの間に記録媒体を狭持搬送するためのニップ部を形成するように、前記無端状ベルトを挟んで前記定着ローラに向けて押し付けられている加圧ローラと、前記定着ローラと前記回転ローラとの間に配置されている冷却手段とを備える定着装置の制御方法において、
異物検出手段により、前記無端状ベルトの表面に付着した異物を検出する異物検出工程と、
前記異物検出工程での検出結果に応じて、前記無端状ベルトの速度を可変することにより、前記無端状ベルトの表面上の記録媒体を担持する記録媒体担持位置を変更する位置変更工程と
を有することを特徴とする定着装置の制御方法。
【手続補正２】
【補正対象書類名】明細書
【補正対象項目名】００１０
【補正方法】変更
【補正の内容】
【００１０】
本発明は、上記目的を達成するため、定着ローラおよび回転ローラを含む複数のローラに巻き架けられ、表面に記録媒体を担持するための無端状ベルトと、前記無端状ベルトとの間に記録媒体を狭持搬送するためのニップ部を形成するように、前記無端状ベルトを挟んで前記定着ローラに向けて押し付けられている加圧ローラと、前記定着ローラと前記回転ローラとの間に配置されている冷却手段とを備える定着装置において、前記無端状ベルトの表面に付着した異物を検出するための異物検出手段と、前記異物検出手段の出力に応じて、前記無端状ベルトの表面上の記録媒体を担持する記録媒体担持位置を変更する位置変更手段とを有することを特徴とする定着装置を提供する。
【手続補正３】
【補正対象書類名】明細書
【補正対象項目名】００１１
【補正方法】変更
【補正の内容】
【００１１】
本発明は、上記目的を達成するため、定着ローラおよび回転ローラを含む複数のローラに巻き架けられ、表面に記録媒体を担持するための無端状ベルトと、前記無端状ベルトとの間に記録媒体を狭持搬送するためのニップ部を形成するように、前記無端状ベルトを挟んで前記定着ローラに向けて押し付けられている加圧ローラと、前記定着ローラと前記回転ローラとの間に配置されている冷却手段とを備える定着装置において、前記無端状ベルトの表面に付着した異物を検出するための異物検出手段と、前記異物検出手段の出力に応じて、前記ニップ部に対する前記記録媒体の搬送タイミングを制御することにより、前記無端状ベルトの表面上の記録媒体を担持する記録媒体担持位置を変更する位置変更手段とを有することを特徴とする定着装置を提供する。
【手続補正４】
【補正対象書類名】明細書
【補正対象項目名】００１２
【補正方法】変更
【補正の内容】
【００１２】
本発明は、上記目的を達成するため、定着ローラおよび回転ローラを含む複数のローラに巻き架けられ、表面に記録媒体を担持するための無端状ベルトと、前記無端状ベルトとの間に記録媒体を狭持搬送するためのニップ部を形成するように、前記無端状ベルトを挟んで前記定着ローラに向けて押し付けられている加圧ローラと、前記定着ローラと前記回転ローラとの間に配置されている冷却手段とを備える定着装置において、前記無端状ベルトの表面に付着した異物を検出するための異物検出手段と、前記異物検出手段の出力に応じて、前記無端状ベルトの速度を可変することにより、前記無端状ベルトの表面上の記録媒体を担持する記録媒体担持位置を変更する位置変更手段とを有することを特徴とする定着装置を提供する。
【手続補正５】
【補正対象書類名】明細書
【補正対象項目名】００１５
【補正方法】変更
【補正の内容】
【００１５】
本発明によれば、無端状ベルト上の１つの記録媒体担持位置に異物が所定量以上付着することを未然に回避することができ、異物による記録媒体上の画像損傷、無端状ベルトからの記録媒体の分離性の悪化などを未然に防止することができる。
【手続補正６】
【補正対象書類名】明細書
【補正対象項目名】００４３
【補正方法】変更
【補正の内容】
【００４３】
定着装置２３４を通過した記録紙は、フラッパ２５７により排紙パス２５８または裏面パス２５９へ導かれる。画像形成が終了した記録紙は、フラッパ２５７により排紙パス２５８に導かれ、後述する定着装置５０へ搬入される。